(57)【特許請求の範囲】
【請求項１】
制御パネルを有する射出成形機であって、
前記制御パネルに設けられ、射出成形工程の１以上の実績値を表示する第１の表示領域と、設定条件を表示する設定条件表示領域と、を有する表示画面を表示する表示部と、
前記第１の表示領域で任意の実績値が選択されたときに、前記表示画面上の前記第１の表示領域と異なる第２の表示領域に、前記選択された実績値に関連する情報であって、当該表示画面に表示されている情報とは別に保存されている予め設定された特定の情報を表示させる制御部と、
を備えることを特徴とする射出成形機。
【請求項２】
前記制御部は、前記任意の実績値が選択されたときに、前記表示画面上の前記第２の表示領域に、前記選択された実績値の統計情報を表示させる、
ことを特徴とする請求項１に記載の射出成形機。
【請求項３】
前記制御部は、前記任意の実績値が選択されたときに、前記表示画面上で、前記第２の表示領域に前記実績値の関連条件を表示させる、
ことを特徴とする請求項１又は２に記載の射出成形機。
【請求項４】
前記制御部は、前記任意の実績値が選択されたときに、前記表示画面上で、前記第２の表示領域に前記実績値に割り当てられたＩＤ情報を表示させる、
ことを特徴とする請求項１〜３のいずれか１項に記載の射出成形機。
【請求項５】
前記制御部は、前記任意の実績値が選択されたときに、前記表示画面上で、前記第２の表示領域に前記実績値と関連するグラフィックイメージを表示させる、
ことを特徴とする請求項１〜４のいずれか１項に記載の射出成形機。
【請求項６】
前記第１の表示領域は、前記実績値の各々に割り当てられたサブエリアを含み、
前記制御部は、任意のサブエリアが選択された場合に、前記選択されたサブエリアに対応する実績値に関連する関連情報を前記第２の表示領域に表示させる、
ことを特徴とする請求項１〜５のいずれか１項に記載の射出成形機。
【請求項７】
射出成形について１以上の実績値を表示画面の第１の領域に表示し、
設定条件を前記表示画面の設定条件表示領域に表示し、
前記表示画面上で、前記１以上の実績値の中から任意の実績値が選択されたときに、前記表示画面上の前記第１の領域と異なる第２の領域に、前記選択された実績値に関連する情報であって、当該表示画面に表示されている情報とは別に保存されている予め設定された特定の情報を表示する、
ことを特徴とする情報表示方法
【発明の詳細な説明】
【技術分野】
【０００１】
本発明は、射出成型機と、射出成形機における情報表示方法に関する。
【背景技術】
【０００２】
射出成形において樹脂成形品の品質を維持するために、射出成形機の動作状態や樹脂材料の状態を監視、管理することが重要である。そのため、一般に射出成形機には制御パネルが設けられている。操作者は制御パネルの設定画面で現在の操作状態を監視することができる。また、入力手段を介して成形条件等のパラメータの設定、変更をすることができる。
【０００３】
また、任意のショット番号における各種センサからのデータ波形を、そのショット番号におけるロギングデータと同じ画面上に表示する手法が提案されている（たとえば、特許文献１参照）。
【先行技術文献】
【特許文献】
【０００４】
【特許文献１】特開２００４−８２６４９号公報
【発明の概要】
【発明が解決しようとする課題】
【０００５】
従来の射出成形装置の設定画面では、実績値が表示されショット毎又はリアルタイムに更新され、実績値に関連する情報、たとえば統計データなどを見たい場合は、いったん別の画面に移動し、１以上の階層の選択動作を経て目的の情報を参照しなければならない。
【０００６】
本発明は、このような不都合を解消し、実績値に関連する情報の取得、参照を容易にする射出成形機と、情報表示方法を提供することを課題とする。
【課題を解決するための手段】
【０００７】
上記課題を実現するため本発明の第１の態様では、制御パネルを有する射出成形機は、
前記制御パネルに設けられ、射出成形工程の１以上の実績値を表示する第１の表示領域を有する表示画面を表示する表示部と、
前記第１の表示領域で任意の実績値が選択されたときに、前記表示画面上の前記第１の表示領域と異なる第２の表示領域に、前記選択された実績値に関連する情報を表示させる制御部と、
を備える。
【０００８】
ひとつの構成例として、制御部は、任意の実績値が選択されたときに、前記表示画面上の前記第２の表示領域に、選択された実績値の統計情報を表示させる。
【０００９】
本発明の第２の態様では、射出成形における情報表示方法を提供する。この方法は、
射出成形について１以上の実績値を表示画面の第１の領域に表示し、
前記表示画面上で、前記１以上の実績値の中から任意の実績値が選択されたときに、前記表示画面上の前記第１の領域と異なる第２の領域に、前記選択された実績値に関連する情報を表示する、
工程を含む。
【発明の効果】
【００１０】
上記構成と手法により、射出成形機の操作中に実績値と関連する情報を容易かつ直接的に参照することができる。
【図面の簡単な説明】
【００１１】
【図１】本発明が適用される射出成形機とコントロールパネルの概略図である。
【図２】実施形態の設定画面の第１の表示例を示す図である。
【図３】実施形態の設定画面の第２の表示例を示す図である。
【図４】実績値のロギングデータの例を示す図である。
【図５】実施形態の設定画面の第３の表示例を示す図である。
【図６】実績値関連情報の設定例を示す図である。
【発明を実施するための形態】
【００１２】
以下、図面を参照して、本発明を実施するための最良の形態を説明する。
【００１３】
図１（Ａ）は本発明が適用される射出成形機１の概略図、図１（Ｂ）は射出成形機１で用いられる制御パネル２の概略図である。射出成形機１は、金型を保持する型開閉装置８と、金型に成形材料を注入する射出装置９と、射出成形機１の動作を制御する制御部５と、制御パネル２を含む。射出装置９は、たとえば樹脂材料を供給するホッパ９ａと、シリンダ９ｂとノズル９ｃを含む。シリンダ内で図示しないスクリュが回転し、前進して樹脂材料をノズル９ｃへと押し出す。
【００１４】
制御部５は、マイクロコンピュータを中心に構成されており、ＣＰＵ６、記憶部７、図示しないＲＯＭ、ＲＡＭ、タイマ、カウンタ等を含む。制御部５は、射出成形機１の各構成部分の動作と状態を制御するとともに、射出成形機１から種々の測定値を取得して記憶部７に格納する。制御部５には制御パネル２が接続されている。
【００１５】
図１（Ｂ）で、制御パネル２は、表示部３と操作部４を含む。操作者は操作部４を介して入力操作や、設定条件の設定、変更などを行うことができる。表示部３には、後述するように、設定された情報や射出成形の品質判断に用いられる実績値等が表示される。
【００１６】
図２は、表示部３の設定画面１１の第１の表示例を示す。設定画面１１は、現在表示されている対象項目を示す項目表示領域１１Ａと、実績値表示領域１１Ｂと、設定条件表示領域１１Ｃと、表示項目選択領域１１Ｄを含む。図３では、可塑化ボタン１４が選択されている。
【００１７】
可塑化とは、スクリュ方式の射出装置９（図１参照）の場合、ヒータによる加熱とスクリュの回転によって成形材料を柔軟にする工程をいう。可塑化の条件は成形対象の製品や成形材料によって異なるが、適切な条件が維持されていることが品質維持のために必要である。そのため、実績値表示領域１１Ｂに可塑化に関する種々の実績値の名称と値が示されている。
【００１８】
本実施形態では、実績値表示領域１１Ｂに表示された各実績値を選択することで、項目表示領域１１Ａの空き領域に、実績値の関連情報を表示する。図２の表示例では、実績値表示領域１１Ｂから「充填ピーク圧」が選択され、項目表示領域１１Ａのヘルプ欄１３に「充填ピーク圧」に割り当てられたＩＤ番号「Ｐ３００」が表示されている。
【００１９】
操作者は「充填ピーク圧」の実績値をパーソナルコンピュータ等に取り込みたい場合、「充填ピーク圧」のサブエリア１２を選択するだけで、同じ設定画面１１上でＩＤ番号を取得することができる。
【００２０】
設定画面１１上での実績値の選択は、タッチパネルの場合は対応する実績値のサブエリア１２、たとえば「充填ピーク圧」のサブエリア１２を指でタッチするだけでよい。あるいは、図１（Ｂ）の操作部４のマルチファンクションキーを用いて所望の実績値のサブエリア１２を選択してもよいし、マウスを用いてクリックしてもよい。この例では「充填ピーク圧」の実績値が選択されているが、その他の実績値、たとえばスクリュ位置や射出圧についても、その実績値のサブエリア１２をタッチまたは選択するだけで、ヘルプ欄１３に実績値のＩＤ番号を直ちに表示することができる。
【００２１】
第１の表示例では、実績値表示領域１１Ｂが実績値を表示する第１の表示領域に対応し、実績値のＩＤ番号を表示するヘルプ欄１３が関連情報を表示する第２の表示領域に対応する。
【００２２】
図３は、表示部３の第２の表示例である設定画面２１を示す。設定画面２１は、現在表示されている対象項目を示す項目表示領域２１Ａと、実績値表示領域２１Ｂと、設定条件表示領域２１Ｃと、表示項目選択領域２１Ｄを含む。図３でも、可塑化ボタン１４が選択されている。
【００２３】
実績値表示領域２１Ｂから実績値として「充填ピーク圧」が選択されると、項目表示領域２１Ａのヘルプ欄２３に、「充填ピーク圧」のＩＤ番号「Ｐ３００」とともに、充填ピーク圧の平均値と最大値が表示される。この場合の平均値と最大値は、たとえば射出成形機１での生産開始から実績値情報の表示を行った時点までの平均値と最大値である。
【００２４】
項目表示領域２１Ａのヘルプ機能を利用することで、ある程度まとまった量の情報を関連情報として表示することができる。実績値と関連してどのような情報をヘルプ欄２３に表示するかは、操作者が設定することができる。たとえば、実績値の過去の履歴を示すロギングデータの中から、所望の情報を関連情報として設定することができる。
【００２５】
図４は、実績値のロギングデータ４１の一例を示す。ロギングデータ４１は、図１の記憶部７に実績値データファイルとして格納されている。ロギングデータ４１の全体を独立した情報として確認したい場合は、たとえば項目選択領域２１Ｄの品質管理ボタンをタッチまたはクリックすることで、表示することができる。
【００２６】
実績値（たとえば「充填ピーク圧」）の関連情報としてロギングデータ４１の一部を利用する場合は、所望の情報項目をあらかじめ選択しておく。たとえば、実績値統計データ４２が関連情報として設定された場合は、図３の所定欄（一例としてヘルプ欄２３）に、平均値、範囲、最大値、最小値、標準偏差などの統計データが表示される。もちろん、これらのすべを表示する必要はなく、必要なパラメータだけを設定してもよい。この構成により、射出成形機１の監視中に特定の実績値の関連データをチェックしたい場合、その実績値のサブエリア１２をタッチあるいはクリックするだけで、直ちに同一画面上に表示することができる。
【００２７】
第２表示例では、実績値表示領域２１Ｂが実績値を表示する第１の表示領域に対応し、統計データを表示する所定欄が関連情報を表示する第２の表示領域に対応する。
【００２８】
図５は、表示部３の第３の表示例である設定画面３１を示す。設定画面３１は、現在表示されている対象項目を示す項目表示領域３１Ａと、実績値表示領域３１Ｂと、設定条件表示領域３１Ｃと、表示項目選択領域３１Ｄを含む。図５の例では、温度ボタン１６が選択されている。また、関連情報表示領域として、ヘルプ欄３３のほかに、設定条件表示領域３１Ｃも利用する。
【００２９】
樹脂材料の溶融時の温度を管理するために、射出装置９（図１（Ａ）参照）のシリンダ９ｂやノズル９ｃの複数個所に温度センサが配置され、各センサから温度情報が収集される。実績値表示領域３１Ｂには、あらかじめ設定した値である主設定値と、センサで測定された実際値とが、ゾーンごとに表示されている。
【００３０】
この場合、操作者が実績値表示領域３１Ｂのゾーン３を選択すると、項目表示領域３１のヘルプ欄３３に、実績値である「ゾーン３温度」のＩＤ番号「Ｈ３０３」が表示される。さらに、設定条件表示領域３１Ｃに、ゾーン３で温度センサの配置位置を示すグラフィック画像と、センサに関する情報が表示される。
【００３１】
実績値表示領域３１Ｂでのゾーン３の選択は、第１の表示例（図２）や第２の表示例（図３）と同様に、ゾーン３のサブエリア（温度表示エリア）３５をタッチする、クリックするなどして選択することができる。この実績値の選択により、同一の設定画面３１上に必要な関連情報が表示される。操作者は別の画面に移動しなくても直接知りたい情報を確認することができる。
【００３２】
第３表示例では、実績値表示領域３１Ｂが実績値を表示する第１の表示領域に対応し、ヘルプ欄３３と設定条件表示領域３１Ｃが、関連情報を表示する第２の表示領域に対応する。
【００３３】
図６は、実績値と関連付ける関連情報の例を示す。たとえば、「充填ピーク圧」と関連して、ＩＤ番号、統計値、関連条件などを設定する。さらに、統計値として、平均値、最大値、最小値、標準偏差などを設定することができる。関連条件として、充填速度や温度を設定することができる。これらはあくまでも一例であってこれらに限定されるものではない。
【００３４】
図２のスクリュ位置、射出圧などといった実績値の各々について、所望の関連情報をあらかじめ設定しておくことにより、特定の実績値あるいはそれを表示するサブエリア１２を選択するだけで、同じ設定画面上で知りたい情報を直ちに確認することができる。
【００３５】
なお、制御パネル２の表示部３で任意の実績値が選択されたときに、その実績値の関連情報を記憶装置７から読み出して同じ設定画面上に表示させるのは、ＣＰＵ６の働きである。ＣＰＵ６にそのような動作を行わせるコンピュータプログラムは、図示しないＲＯＭやＩＣカードに格納されている。
【００３６】
実施形態では、設定画面１１，２１、３１のヘルプ欄１３、２３、３３を関連情報表示領域として利用し、あるいは設定条件表示領域３１Ｃを関連情報表示領域として利用したがこれらの例に限定されない。たとえば、実績値に割り当てられたＩＤ情報や平均値などの簡単な関連情報であれば、設定画面上にポップアップ表示する構成としてもよい。この場合も、所望の実績値を選択することで、同一画面上で知りたい情報を直ちに確認することができるという効果を得ることができる。実績値のＩＤ番号や、統計データ、関連条件は実績値と関連する情報の一例であって、かならずしもこれらを表示しなくてもよいし、これらの関連情報を任意に組み合わせて表示してもよい。
【符号の説明】
【００３７】
１  射出成形機
２  制御パネル
３  表示部
４  操作部
５  制御部
６  ＣＰＵ
７  記憶部
９  射出装置
１１、２１、３１  設定画面
１１Ａ、２１Ａ、３１Ａ  項目表示領域
１１Ｂ、２１Ｂ、３１Ｂ  実績値表示領域
１１Ｃ、２１Ｃ、３１Ｃ  設定条件表示領域
１１Ｄ  表示項目選択領域
１２  実績値サブエリア
１３、２３、３３  ヘルプ欄
【図１】
0005827160.tif 000002
【図２】
0005827160.tif 000003
【図３】
0005827160.tif 000004
【図４】
0005827160.tif 000005
【図５】
0005827160.tif 000006
【図６】
0005827160.tif 000007